(57)【特許請求の範囲】
【請求項１】
スマートアンダーレンジインダクションが設置された食卓の上部に置かれ、上面には前記スマートアンダーレンジインダクションによって加熱される調理容器が置かれ、前記上面に凹設された底部を有する本体パッドと、
前記本体パッドの前記底部の前記上面に備えられた調理容器下敷き部と、
前記本体パッドの前記底部の前記上面と前記調理容器下敷き部との間に介在され、前記調理容器下敷き部の中心部の下部に配置され、前記調理容器の温度を直接感知する温度感知部と、
前記本体パッドの内部に備えられ、前記温度感知部に連結され、前記温度感知部で感知された結果を外部に伝送する発信回路部と、
前記本体パッドの内部に備えられ、前記発信回路部に電源を供給する電源部とを含み、
前記本体パッドは絶縁材からなり、
前記調理容器下敷き部はセラミック又はガラスからなり、
前記発信回路部は、前記温度感知部で感知された温度が作動設定温度に到逹した時から一定の時間周期で前記温度感知部で感知された温度を受信して外部に伝送するように内部にＰＣＢ回路の形態に構成されたマイコンを含み、前記本体パッドの内部で磁場遮蔽手段によって保護され、
前記発信回路部は、前記本体パッドに置かれた前記調理容器が前記スマートアンダーレンジインダクションが設置された前記食卓の前記上部で加熱されるために正しい位置にあるかどうかを感知し、前記マイコンに感知結果を伝達する位置感知部を含み、
前記発信回路部は、前記本体パッドが加熱するための正しい位置に設置されていると前記位置感知部が判断した場合に、動作を開始し、
前記本体パッドが加熱するための前記正しい位置に設置されていないと前記位置感知部が判断した場合に、アラームが鳴る、スマートアンダーレンジ用調理容器下敷き装置。
【請求項２】
前記本体パッドの下部には、複数の熱排出溝が凹設される、請求項１に記載のスマートアンダーレンジ用調理容器下敷き装置。
【請求項３】
前記発信回路部と送受信し、前記温度感知部で感知された結果に基づいて前記スマートアンダーレンジインダクションを制御するメインコントローラーをさらに含む、請求項１または２に記載のスマートアンダーレンジ用調理容器下敷き装置。
【請求項４】
前記メインコントローラーと送受信し、前記温度感知部で感知された結果を出力し、前記メインコントローラーが前記スマートアンダーレンジインダクションを制御する条件を設定する設定信号が前記メインコントローラーに遠隔で入力されるように構成されたリモートコントローラーをさらに含む、請求項３に記載のスマートアンダーレンジ用調理容器下敷き装置。
【請求項５】
前記発信回路部はＲＦモジュールを含む、請求項１〜４のいずれか一項に記載のスマートアンダーレンジ用調理容器下敷き装置。
【請求項６】
スマートアンダーレンジインダクションが設置された食卓の上部に置かれ、上面には前記スマートアンダーレンジインダクションによって加熱される調理容器が置かれ、前記上面に凹設された底部を有する本体パッドと、
前記本体パッドの前記底部の前記上面に備えられた調理容器下敷き部と、
前記本体パッドの前記底部の前記上面と前記調理容器下敷き部との間に介在され、前記調理容器下敷き部の中心部の下部に配置され、前記調理容器の温度を直接感知する温度感知部と、
前記本体パッドの内部に備えられ、前記温度感知部に連結され、前記温度感知部で感知された結果を外部に伝送する発信回路部と、
前記本体パッドの内部に備えられ、前記発信回路部に電源を供給する電源部とを含み、
前記本体パッドは絶縁材からなり、
前記調理容器下敷き部はセラミック又はガラスからなり、
前記発信回路部は、前記温度感知部で感知された温度が作動設定温度に到逹した時から一定の時間周期で前記温度感知部で感知された温度を受信して外部に伝送するように内部にＰＣＢ回路の形態に構成されたマイコンを含み、前記本体パッドの内部で磁場遮蔽手段によって保護され、
前記本体パッドの下部には、複数の熱排出溝が凹設される、スマートアンダーレンジ用調理容器下敷き装置。
【発明の詳細な説明】
【技術分野】
【０００１】
本発明は、スマートアンダーレンジ用調理容器下敷き装置に関し、より詳しくは、磁場誘導によって被加熱体を加熱させるインダクションレンジよりもっと力強い磁場によって、食卓の下部に設置されても被加熱体を加熱させることができるスマートアンダーレンジによって加熱して飲食物を調理する調理容器を食卓に対して支持するスマートアンダーレンジ用調理容器下敷き装置に関する。
【背景技術】
【０００２】
一般に、インダクションレンジ（ｉｎｄｕｃｔｉｏｎ  ｒａｎｇｅ）はコイルから発生した磁力線が上板上に置かれた調理容器の底を通過するとき、調理容器の素材に含まれた抵抗成分（鉄成分）によって渦電流（Ｅｄｄｙ  ｃｕｒｒｅｎｔ）を生成し、このような渦電流が調理容器自体のみを発熱させて調理を行うようにする器機である。
【０００３】
すなわち、前記渦電流は導体の内部で局所的に渦状に閉まった通路を流れる電流であって、導体の内部を通る磁気力線束の変化によって生成されるので、前記インダクションレンジを使うためには必ず導体類物質を含む調理容器を用いることになる。
【０００４】
このようなインダクションレンジの一例が大韓民国特許登録番号第１０−１４００８８１号（２０１４年０５月２２日付登録、以下'特許文献１'という）などに開示されている。
【０００５】
インダクションレンジは磁場が及ぶ範囲が比較的狭小であるため、通常はレンジの上面の直上に調理容器を載せて使うことになる。これにより、調理加熱の過程で飲食物が溢れる場合には、レンジに飲食物が焦げ付いてレンジが汚染すること、または損傷することがあり、レンジの設置と調理容器の使用範囲も制限されるため、近年にはもっと力強い起電力で磁場の影響力を拡張して食卓の下部に設置されることができるスマートアンダーレンジが導入されている趨勢にある。
【０００６】
一方、インダクションレンジ又はスマートアンダーレンジにおいて、インダクションによって加熱される調理容器の温度を感知することは非常に重要な要素である。例えば、インダクションによって調理容器が温度感知なしにずっと加熱されるならば、調理容器の内部の水が全部蒸発し、ひいては調理容器が過熱して火事を引き起こすこともあるから、通常調理容器の温度が１３０℃に到逹すればこれを感知してインダクションの作動が停止するように制御する。
【０００７】
しかし、従来技術によるインダクションレンジをスマートアンダーレンジに変えて使おうとすれば、インダクションによって加熱される調理容器の温度を感知するための手段を食卓に穿孔して別に設置しなければならないため、感知手段の設置が難しくなることがあり、スマートアンダーレンジインダクションの作動制御が難しくなる問題点がある。
【０００８】
また、調理容器の温度を直接感知せず、ただ食卓の下部に設置されたスマートアンダーレンジインダクション側にのみ温度感知手段を設ける場合には、調理容器の実際温度との差によって調理容器の正確な温度を感知することができず、スマートアンダーレンジインダクションの作動制御も不正確になるという問題点がある。
【発明の概要】
【発明が解決しようとする課題】
【０００９】
本発明の目的は、スマートアンダーレンジインダクションによって加熱される調理容器の温度を感知するための手段を簡便に設置することができ、スマートアンダーレンジインダクションの作動を容易に制御することができるスマートアンダーレンジ用調理容器下敷き装置を提供することである。
【００１０】
また、調理容器の温度を直接感知することができ、スマートアンダーレンジインダクションの作動制御も正確な温度感知によって正確に行うことができるスマートアンダーレンジ用調理容器下敷き装置を提供することである。
【課題を解決するための手段】
【００１１】
上記の目的を達成するために、本発明によるスマートアンダーレンジ用調理容器下敷き装置は、スマートアンダーレンジインダクションが設置された食卓の上面に置かれ、上部には前記スマートアンダーレンジインダクションによって加熱される調理容器が置かれる本体パッドと、前記本体パッドの底部上面に備えられた調理容器下敷き部と、前記本体パッドの底部上面と前記調理容器下敷き部との間に介在され、前記調理容器下敷き部の中心部の下部に配置され、前記調理容器の温度を直接感知する温度感知部と、前記本体パッドの内部に備えられ、前記温度感知部に連結され、前記温度感知部で感知された結果を外部に伝送する発信回路部と、前記本体パッドの内部に備えられ、前記発信回路部に電源を供給する電源部とを含むことを特徴とする。
【００１２】
ここで、前記本体パッドは絶縁材からなり、前記調理容器下敷き部はセラミック又はガラスからなり、前記発信回路部は前記本体パッドの内部で磁場遮蔽手段によって保護されることが好ましい。
【００１３】
本発明によるスマートアンダーレンジ用調理容器下敷き装置は、前記発信回路部と送受信し、前記温度感知部で感知された結果に基づいて前記スマートアンダーレンジインダクションを制御するメインコントローラーをさらに含むことが好ましい。
【００１４】
本発明によるスマートアンダーレンジ用調理容器下敷き装置は、前記メインコントローラーと送受信し、前記温度感知部で感知された結果を出力し、前記メインコントローラーが前記スマートアンダーレンジインダクションを制御する条件を設定する設定信号が前記メインコントローラーに遠隔で入力されるように構成されたリモートコントローラーをさらに含むことが好ましい。
【００１５】
そして、前記発信回路部はＲＦモジュールを含むことが好ましい。
【発明の効果】
【００１６】
本発明によれば、スマートアンダーレンジインダクションによって加熱される調理容器の温度を感知するための手段を簡便に設置することができ、スマートアンダーレンジインダクションの作動を容易に制御することができるスマートアンダーレンジ用調理容器下敷き装置を提供することができる。
【００１７】
また、調理容器の温度を直接感知することができ、スマートアンダーレンジインダクションの作動制御も正確な温度感知によって正確に行うことができるスマートアンダーレンジ用調理容器下敷き装置を提供することができる。
【図面の簡単な説明】
【００１８】
【図１】本発明によるスマートアンダーレンジ用調理容器下敷き装置の全体構成を概略的に示す構成図である。
【図２】図１の本体パッド及び調理容器下敷き部の結合斜視図である。
【図３】図２の本体パッド及び調理容器下敷き部の分解斜視図である。
【図４】図２の本体パッドを上から見た平面図である。
【図５】図２の本体パッドを下から見た底面図である。
【図６】本発明の他の実施例による本体パッドの斜視図である。
【図７】本発明のさらに他の実施例による本体パッドの平面図である。
【図８】図７の本体パッドの底面図である
【図９】図７の本体パッドの側断面図である。
【発明を実施するための形態】
【００１９】
以下、添付図面に基づいて本発明を詳細に説明する。
【００２０】
本発明によるスマートアンダーレンジ用調理容器下敷き装置１００は、図１〜図４に示したように、スマートアンダーレンジインダクション１０が設置された食卓２０の上面に置かれ、上部にはスマートアンダーレンジインダクション１０によって加熱される調理容器３０が置かれる本体パッド１１０と、本体パッド１１０の底部１１１の上面に備えられた調理容器下敷き部１２０と、本体パッド１１０の底部１１１の上面と調理容器下敷き部１２０の間に介在され、調理容器３０の温度を直接感知する温度感知部１３０と、本体パッド１１０の内部に備えられ、温度感知部１３０に連結され、温度感知部１３０で感知された結果を外部に伝送する発信回路部１４０と、本体パッド１１０の内部に備えられ、発信回路部１４０に電源を供給する電源部１５０とを含む。
【００２１】
したがって、図１に示したように、スマートアンダーレンジインダクション１０によって加熱される調理容器３０の温度をスマートアンダーレンジインダクション１０が下部に設置された食卓２０の上部で直接感知して調理容器３０が安全に加熱されるようにするための温度感知部１３０を容易で簡便に設置することができる。
【００２２】
本体パッド１１０は、図２〜図５に示したように、木材又はプラスチックを含む樹脂などの絶縁材から作られ、調理容器下敷き部１２０が結合される底部１１１が上面に凹設された部分に設けられるように形成され、本体パッド１１０の下部には複数の熱排出溝１１３が長手方向に並んで凹設される。
【００２３】
したがって、スマートアンダーレンジインダクション１０によって発生する力強い磁場が本体パッド１１０に伝達されても本体パッド１１０が熱抵抗によって加熱されることを防止することができ、調理容器３０が調理容器下敷き部１２０に安定に置かれて本体パッド１１０によって支持されるようにすることができ、調理容器３０の加熱時に発生する熱が熱排出溝１１３に沿って外部に排出されるようにすることができる。
【００２４】
調理容器下敷き部１２０は、図２及び図３に示したように、セラミック又はガラス素材から作られ、略円形の形状を有するように形成されるととともに比較的薄い厚さを有するように形成される。
【００２５】
よって、調理容器下敷き部１２０が調理容器３０の加熱時に発火すること、または破損することを耐熱性によって防止しながら調理容器３０のみが加熱されるようにすることができる。
【００２６】
温度感知部１３０は、図３及び図４に示したように、サーミスタ（ｔｈｅｒｍｉｓｔｏｒ）を含んでなり、調理容器下敷き部１２０の下面の中心部に配置され、発信回路部１４０に電気的に連結されるように調理容器下敷き部１２０と本体パッド１１０の間に備えられる。
【００２７】
よって、図１に示したように、温度感知部１３０が従来のように食卓２０の下部に設置されたスマートアンダーレンジインダクション１０側に設置されるものではなく、食卓２０の上部で調理容器３０の温度を直接感知するように設置されるので、スマートアンダーレンジインダクション１０の作動制御ももっと正確な温度感知によって正確に行って調理容器３０が安全に加熱されるようにすることができる。
【００２８】
本発明による温度感知部１３０は、温度が作動設定温度（例えば、６０℃）に到逹した時から一定の時間周期（例えば、０．５秒又は１秒）で温度を感知するように構成されることが好ましい。
【００２９】
よって、温度感知部１３０で持続的に温度を感知することによる電気消耗量を節減することができる。
【００３０】
発信回路部１４０は、図４に示したように、本体ＲＦモジュール（ＲＦ  ｍｏｄｕｌｅ、Ｒａｄｉｏ  Ｆｒｅｑｕｅｎｃｙ  ｍｏｄｕｌｅ）１４１を含んでなる。本体ＲＦモジュール１４１は無線高周波を用いて無線で遠隔地からデータを送受信することができるようにするＲＦ通信モジュールであって、ブルートゥース（登録商標）よりは速度がちょっと遅いことがあるが、連続的なデータの送受信が可能であり、本発明のようにデータのサイズが比較的小さな場合にはもっと適合した通信モジュールである。
【００３１】
よって、本発明による本体パッド１１０の内部に設置され、食卓２０の上部で調理容器３０の温度を感知する温度感知部１３０で感知された温度を、スマートアンダーレンジインダクション１０を制御する後述のメインコントローラー１６０によってＲＦ無線通信方式で送信することができる。
【００３２】
ここで、図１に示したように、発信回路部１４０の本体ＲＦモジュール１４１は周辺にある任意のＲＦモジュールの全てと通信するものではなく、固有識別コードが認識されるメインコントローラー１６０のメインＲＦモジュールのみとデータを送受信するようになる。
【００３３】
本発明による発信回路部１４０は、図４に示したように、温度感知部１３０で感知された温度が作動設定温度（例えば、６０℃）に到逹したときから一定の時間周期（例えば、０．５秒又は１秒）で温度感知部１３０で感知された温度を受信して外部に伝送するように内部にＰＣＢ回路の形態に構成されたマイコン１４３を含み、本体パッド１１０の内部でアルミニウムケースのような磁場遮蔽手段１４７によって保護されることが好ましい。
【００３４】
よって、発信回路部１４０が磁場によって影響されて誤作動することを磁場遮蔽手段１４７によって防止することができる。
【００３５】
一方、発信回路部１４０には、本体パッド１１０が、スマートアンダーレンジインダクション１０が下部に設置された食卓２０の上部において調理容器３０を正常に加熱することができる定位置に置かれたかを感知し、これをマイコン１４３に伝達する位置感知部１４５が備えられる。
【００３６】
本発明による位置感知部１４５は本体パッド１１０の内部において下部に近く配置され、電気抵抗体からの距離変化によって発生する電圧降下を用いるホイルセンサー（ｆｏｉｌ  ｓｅｎｓｏｒ）を含むことが好ましい。
【００３７】
よって、本体パッド１１０が食卓２０の上部の定位置に置かれている時点から発信回路部１４０が作動してメインコントローラー１６０と無線通信を開始するようにすることにより、電源部１５０から供給される電気の消耗量を節減することができ、本体パッド１１０が食卓２０の上部には置かれたが定位置に置かれていないことを位置感知部１４５を介してマイコン１４３が判断すれば、これを使用者が易しく認知することができるようにアラーム警告音を出力するように制御することもできる。
【００３８】
電源部１５０は本体パッド１１０の内部に着脱可能に備えられる乾電池又は水銀電池を含んでなることができ、その外にも太陽光を用いるソーラーバッテリーを含むように構成されることもできる。
【００３９】
一方、図１に示したように、本発明によるスマートアンダーレンジ用調理容器下敷き装置１００は発信回路部１４０と送受信し、温度感知部１３０で感知された結果に基づいてスマートアンダーレンジインダクション１０を制御するメインコントローラー（ｍａｉｎ  ｃｏｎｔｒｏｌｌｅｒ）１６０をさらに含むことが好ましい。
【００４０】
メインコントローラー１６０は、図１に示したように、発信回路部１４０と送受信するようにメインＲＦモジュール１６１を含んでなり、発信回路部１４０と実時間で通信し、温度感知部１３０で感知された温度がオフ設定温度（例えば、１３０℃）に到逹したと判断されれば、スマートアンダーレンジインダクション１０の作動が止まるようにするパワーオン／オフスイッチモジュール（Ｐｏｗｅｒ  Ｏｎ／Ｏｆｆ  Ｍｏｄｕｌｅ）を含む。
【００４１】
よって、本発明による本体パッド１１０の内部に備えられた発信回路部１４０とＲＦ無線通信方式で実時間で通信し、受信される温度感知部１３０で直接感知された調理容器３０の温度によってスマートアンダーレンジインダクション１０の作動を精密で容易に制御することができるようにする。
【００４２】
また、図１に示したように、本発明によるスマートアンダーレンジ用調理容器下敷き装置１００は、メインコントローラー１６０と送受信し、温度感知部１３０で感知された結果を出力し、メインコントローラー１６０がスマートアンダーレンジインダクション１０を制御する条件（例えば、前記オフ設定温度など）を設定する設定信号をメインコントローラー１６０に遠隔で入力するように構成されたリモートコントローラー（ｒｅｍｏｔｅ  ｃｏｎｔｒｏｌｌｅｒ）１７０をさらに含むことができる。
【００４３】
ここで、メインコントローラー１６０は、リモートコントローラー１７０に、温度感知部１３０で感知された調理容器３０の温度を含む実時間データをＲＦ無線通信方式で伝達する。
【００４４】
リモートコントローラー１７０は、図１に示したように、メインコントローラー１６０と送受信するようにリモートＲＦモジュール１７１を含んでなり、温度感知部１３０で感知された結果を視覚的に表現して出力するディスプレイ部を含み、メインコントローラー１６０を制御してスマートアンダーレンジインダクション１０の作動を制御する、またはスマートアンダーレンジインダクション１０の作動を直接オン／オフ制御するパワーオン／オフスイッチモジュールを含む。
【００４５】
よって、使用者がいちいちメインコントローラー１６０を直接操作する必要なしにメインコントローラー１６０から遠くある状態でもメインコントローラー１６０又はスマートアンダーレンジインダクション１０を制御することができるので、メインコントローラー１６０の設置位置が自由になることができ（例えば、埋込型など）、メインコントローラー１６０の故障時にも持続的に制御することができ、スマートアンダーレンジインダクション１０の作動をより容易に制御することができる。
【００４６】
一方、本発明の他の実施例において、図６に示したように、本体パッド１１０は上部が階段状に凹んでおり、調理容器下敷き部１２０が結合される底部１１１も階段状に上方に次第に広くなる形態に構成される。
【００４７】
よって、調理容器３０のサイズの変化によってそれぞれ相異なるサイズの本体パッド１１０を使う必要なしに、一つの本体パッド１１０で多様なサイズの調理容器３０を支持することができる。
【００４８】
一方、本発明のさらに他の実施例において、図７〜図９に示したように、本体パッド１１０は略四角形の薄い厚さを有する形態に構成されることもできる。
【００４９】
ここで、本体パッド１１０は、図７に示したように、上面に温度感知部１３０で感知された温度が実時間でＬＥＤ素子によって表示される温度表示部１１５を含み、リモートコントローラー１７０とは別個にメインコントローラー１６０又はスマートアンダーレンジインダクション１０を制御するように使用者の入力信号が直接入力される入力部１１７を上面にさらに備えることもできる。
【００５０】
そして、図８及び図９に示したように、本体パッド１１０の下面には内部に貫通する複数の熱排出口１１９が形成される。この場合、電源部１５０はバッテリーカバー１５１の開閉によって本体パッド１１０の内部に挿着される厚さの小さい水銀電池又はソーラーバッテリーを含むことが好ましい。
【００５１】
このような構成により、本発明によるスマートアンダーレンジ用調理容器下敷き装置１００が作動する過程を図１〜図５に基づいて説明すれば次のようである。
【００５２】
まず、使用者がリモートコントローラー１７０を操作し、またはメインコントローラー１６０を直接操作してスマートアンダーレンジインダクション１０の作動をオン（Ｏｎ）させる。
【００５３】
ついで、スマートアンダーレンジインダクション１０が作動することによって調理容器３０は徐々に誘導加熱される。この時、調理容器下敷き部１２０の下面に備えられた温度感知部１３０によって調理容器３０の加熱温度を作動設定温度（例えば、６０℃）に到逹した時から一定の時間周期（例えば、０．５秒又は１秒）で実時間で感知する。
【００５４】
温度感知部１３０で感知された調理容器３０の温度は発信回路部１４０を介してメインコントローラー１６０に伝達され、メインコントローラー１６０は温度感知部１３０で感知された温度がオフ設定温度（例えば、１３０℃）に到逹したと判断すれば、スマートアンダーレンジインダクション１０の作動が止まるようにスマートアンダーレンジインダクション１０をオフ（Ｏｆｆ）に制御する、またはこれをリモートコントローラー１７０に伝達して使用者が温度を認知することができるように表示する。
【００５５】
前記説明及び添付の図面に本発明の技術的な面が記述されたが、本発明の技術的な思想はその説明のためのもので、制限しようとするものではなく、本発明の技術分野で通常の技術的な知識を有する者は本発明の技術的な思想を以下で後述する特許請求範囲に記載された技術領域から逸脱しない範囲内で本発明を多様に修正及び変更することができることを理解することができるであろう。
【産業上の利用可能性】
【００５６】
本発明は、スマートアンダーレンジインダクションによって加熱される調理容器の温度を感知するための手段を簡便に設置することができ、スマートアンダーレンジインダクションの作動を容易に制御することができるスマートアンダーレンジ用調理容器下敷き装置を提供するという点で産業上利用可能性がある。
【図１】
0006596761.tif 000002
【図２】
0006596761.tif 000003
【図３】
0006596761.tif 000004
【図４】
0006596761.tif 000005
【図５】
0006596761.tif 000006
【図６】
0006596761.tif 000007
【図７】
0006596761.tif 000008
【図８】
0006596761.tif 000009
【図９】
0006596761.tif 000010